(57)【要約】【課題】検査対象品の良否の判定を行うだけに留まらずに、再度リトライ動作が行えるように、検査判定結果に問題が発生した検査対象品箇所のトリガ信号が得られた時点で走行を停止させ、再検査できる位置まで戻し、正確にリトライができるようにした高速連続画像再検査方法である。【解決手段】トリガ信号入力式高速連続画像検査判定結果に問題が発生した時点でトリガ信号入力カウンターを作動させ、走行する検査対象品箇所がどの位置まで進んだかをカウントし、そのカウント数に補正数値を足したカウントまで戻りカウントを作動させて、検査対象品箇所の送りを逆転させ指定位置へ戻し低速にて足したカウント分を進め、次に検査判定結果に問題が発生した検査対象品箇所のリトライを行い、そのリトライの結果に問題がなければ高速に戻し、通常のトリガ信号入力式高速連続画像検査に移り、検査対象品箇所の再検査ができる。【選択図】  図１
2004198124.tif 000002
【特許請求の範囲】
【請求項１】
トリガ信号入力式高速連続画像検査判定結果に問題が発生した時点でトリガ信号入力カウンターを作動させ、走行する検査対象品箇所がどの位置まで進んだかをカウントし、そのカウント数に１から数カウント等の補正数値を足したカウントまで戻りカウントを作動させて、検査対象品箇所の送りを逆転させ指定位置へ戻し低速にて足したカウント分を進め、次に検査判定結果に問題が発生した検査対象品箇所のリトライを行い、そのリトライの結果に問題がなければ高速に戻し、通常のトリガ信号入力式高速連続画像検査に移り、再度結果に問題が発生したら、再度リトライ動作を行い、検査判定結果に問題が発生した検査対象品箇所のトリガ信号が得られた時点で送りを停止することにより正確にリトライと停止後に検査対象品箇所を検査位置に止め、低速にて走行させて再検査ができるようにしたことを特徴とする高速連続画像再検査方法。
【請求項２】
連続的に走行する検査対象品を高速又は低速走行させる駆動源となる駆動モーターの正逆回転制御手段と、前記連続的に走行する検査対象品箇所を撮像して得た画像情報を検査判定してＮＧ信号又は運転信号を出力する画像処理回路を備えた画像処理手段と、走行する検査対象品箇所がどの位置まで進んだかをカウントし、そのカウント数に１から数カウント等の補正数値を足したカウントまで戻りカウントを作動させて、検査対象品箇所の送りを逆転させ指定位置へ戻し低速にて足したカウント分を進める送り制御回路と、検査対象品箇所の再検査が１回又は複数回設定可能な再検査回路とを備えたことを特徴とする高速連続画像再検査装置。
【発明の詳細な説明】
【０００１】
【発明の属する技術分野】
本発明は連続する帯板にプレス機械によりプレス加工して得たフープ状製品(例えば精密な電子部品その他各種精密加工部品)の走行中に該フープ状製品を検査して良否の判定を行い、問題のある製品に対してはフープ状製品を停止、逆走、停止、走行をきわめて短時間で行い、再検査を一度又は複数回行うことができる他、連続的に走行する検査対象品を停止、逆走、停止、走行をきわめて短時間で行い、再度、検査を行うことができる、連続画像検査をするための高速連続画像再検査方法及びその装置に関する。
【０００２】
【従来の技術】
従来の電子部品の画像検査装置は、電子部品を撮像し画像情報を出力するＣＣＤカメラと、電子部品に本検査用、事前処理用の各照射光を照射する照明と、その照明にそれぞれ照射光を供給する光源と、照明と光源とを接続しそれぞれ照射光を伝達する光ファイバの中間部に配置され制御信号の供給に応答して照射光の導通および遮断の制御を行う照明制御部と、照射光の各々による電子部品からの反射光の各々に対応の画像情報に基づき検査処理を行い良否判定出力を出力する画像検査回路とを備えたものがある(例えば、特許文献１参照。)。
【０００３】
【特許文献１】
特開平１０−１９５２７号公報(要約、図１、図２)
【０００４】
【発明が解決しようとする課題】
しかし、上記従来の発明は、照射光の各々による電子部品からの反射光の各々に対応の画像情報に基づき検査処理を行い良否判定を出力するだけのものである。
このような従来技術にあっては、良品でない電子部品が発見された場合、検査対象の電子部品は一方向に搬送されるのみであり、良品でないと判定された電子部品を再度検査することができなかった。
【０００５】
本発明の目的は上記の点に鑑み、検査対象品の良否の判定を行うだけに留まらずに、再度リトライ動作が行えるように、検査判定結果に問題が発生した検査対象品箇所のトリガ信号が得られた時点で走行を停止させ、再検査できる位置まで戻し、正確にリトライができるようにした高速連続画像再検査方法及びその装置を提供することにある。
【０００６】
【課題を解決するための手段】
本発明に係る高速連続画像再検査方法は、トリガ信号入力式高速連続画像検査判定結果に問題が発生した時点でトリガ信号入力カウンターを作動させ走行する検査対象品がどの位置まで進んだかをカウントし、そのカウント数に１から数カウントを足したカウントまで戻りカウントを作動させて、検査対象品送りを逆転させ指定位置へ戻し低速にて足したカウント分を進め、次に来る検査判定結果に問題が発生した検査対象品のリトライを行い、そのリトライの結果に問題がなければ高速に戻し、通常のトリガ信号入力式高速連続画像検査に移り、再度結果に問題が発生したら、再度リトライ動作を行い、検査判定結果に問題が発生した検査対象品箇所のトリガ信号が得られた時点で送りを停止することにより正確にリトライと停止後に検査対象品を検査位置に止めることができるようにしたものである。
【０００７】
本発明に係る高速連続画像再検査装置は、連続的に走行する検査対象品を高速又は低速走行させる駆動源となる駆動モーターの正逆回転制御手段と、前記連続的に走行する検査対象品箇所を撮像して得た画像情報を検査判定してＮＧ信号又は運転信号を出力する画像処理回路を備えた画像処理手段と、走行する検査対象品箇所がどの位置まで進んだかをカウントし、そのカウント数に１から数カウント等の補正数値を足したカウントまで戻りカウントを作動させて、検査対象品箇所の送りを逆転させ指定位置へ戻し低速にて足したカウント分を進める送り制御回路と、検査対象品箇所の再検査が１回又は複数回設定可能な再検査回路とを備えたことを特徴とするものである。
【０００８】
【実施例】
以下、本発明の一実施例を図面に基いて説明する。
図１は本発明の一実施例を示すブロック図である。図２は本発明の一実施例を示すフローシートである。
１はステージを連続的に走行する検査対象品Ａを撮像しメモリ画像を出力するＣＣＤカメラである。検査対象品Ａは例えば連続する帯板にプレス機械によりプレス加工して得たフープ状製品あるいは精密な電子部品、キャリアテープその他各種精密加工部品を連続的に送られるものが対象となる。ＣＣＤカメラ1から出力されたビデオ信号及びシャッター信号は画像処理回路２に送られる。検査対象品ＡがＣＣＤカメラ１の撮影位置に来た時を知らせるために、トリガセンサー３によりトリガ信号をトリガ信号受信回路４に出力する。トリガ信号受信回路４に入力されたトリガ信号に基きシャッター信号を画像処理回路２に送る。画像処理回路２で受けたシャッター信号をＣＣＤカメラ１に送り、検査対象品ＡをＣＣＤカメラ１で撮影する。検査対象品Ａを撮影した画像はビデオ信号として画像処理回路２に送られる。画像処理回路２に送られたビデオ信号は予め設定された画素数の許容値に収まっているか否かの判定又は設定画像、数値等の比較判定を行い、良品と判断されればそのまま検査対象品Ａを走行させ、順次、ＣＣＤカメラ１の前を通過する検査対象品Ａのそれぞれをビデオ信号として取り出す。
【０００９】
検査対象品Ａの画素数等が予め設定された画素数の許容値に収まっているか否かの判定又は設定画像、数値等の比較判定の結果、ＮＧである場合、すなわち検査対象品Ａの画素数等が許容値等を超えた場合、検査対象品Ａを走行させる駆動源であるモーターコントローラー５に停止信号を送り、モーター(図示せず)の正回転を停止させる。モーターコントローラー５は停止信号回路６と送り制御回路７と再検査回路８により構成される。モーターに停止信号を送った場合、検査対象品Ａは直ちにＣＣＤカメラ１の撮影位置に停止するのではなく、慣性力が働き、ＣＣＤカメラ１の撮影位置より先に進んだ位置で停止することとなる。送り制御回路７と再検査回路８の間では停止信号及び再検査信号を送信することができる。
【００１０】
ＮＧである場合、すなわち、トリガ信号入力式高速連続画像検査判定結果に問題が発生した時点でトリガ信号入力カウンターを作動させ、検査対象品Ａがどの位置まで進んだかカウントする。カウント数に１から数カウント足したカウントまで戻りカウントを作動させて、製品送りを逆転させ、ＣＣＤカメラ１の撮影位置より後退した指定位置に戻し、その戻した位置から低速にて検査対象品Ａを足したカウント分を進め、次にくる検査判定結果に問題が発生した検査対象品Ａの再検査を行う。再検査結果に問題がなければ高速に戻し、通常のトリガ信号入力式高速連続画像検査に移り、再度結果に問題が発生したら、再度、再検査動作を行い検査判定結果に問題が発生した検査対象品Ａ箇所のトリガ信号が得られた時点で送りを停止することにより正確に再検査と停止後に検査対象品ＡをＣＣＤカメラ１の撮影位置より後退した指定位置に止めることができる。
【００１１】
【発明の実施の形態】
図２に示すフローチャートに基いてさらに具体的に述べる。
モーター(図示せず)の正逆回転を制御するモーターコントローラー５に正転トリガ信号を送り、検査対象品Ａを連続的に高速走行させる。検査対象品ＡをＣＣＤカメラ１で撮影し、検査対象品Ａの一つ一つを撮影した画像はビデオ信号として画像処理回路２に送られる。画像処理回路２に送られたビデオ信号は予め設定された画素数の許容値に収まっているか否かの判定又は設定画像、数値等の比較判定を行い、良品と判断されればそのまま検査対象品Ａを高速走行させ、順次、ＣＣＤカメラ１の前を通過する検査対象品Ａのそれぞれをビデオ信号として取り出す。ＮＧの場合、停止回路からの停止信号発生から逆転開始までのオーバーランした分のトリガ信号数と位置安定増数カウンター数・トリガセンサー位置補正数の総和を求める。これは正回転オーバーランカウンターにより回数を測定する。
検査対象品Ａの形状及びピッチ等の条件により、逆送り時の予測最大ばらつき数を入力する。これは位置安定増数カウンターにより数える。
【００１２】
停止時のトリガセンサー３の作動状況により、例えばダークＯＮ設定時とすると検査対象品Ａに対するトリガセンサー３による光照射に伴うダーク(遮蔽)時にカウント−１、ライト(透過)時にカウント０を自動選択する。停止時のトリガセンサー作動状況(ライトＯＮ設定時)によりダーク時にカウント−１、ライト時にカウント０をトリガセンサー位置補正回路により自動選択する(図３参照)。
逆回転オーバランカウンターでは、正回転オーバランカウンター回路の総和を逆転トリガ信号により引き算しゼロになるまで逆転信号を出し、ゼロにて逆転停止信号と正転信号を出す。逆回転オーバランカウンター回路では逆転停止信号発生から正転開始までのオーバーランした分のトリガ信号数と位置安定増数カウンター数・トリガセンサー位置補正数の総和を求める。また逆回転オーバランカウンター回路はトリガセンサ位置補正数回路に接続し、停止時のトリガセンサー作動状況によりダーク時にカウント−１、ライト時にカウント０をトリガセンサー位置補正回路により自動選択する。
【００１３】
画像処理回路２においては、再検査信号を送り、予め再検査回数を再検査回数設定カウンターに入力する。再検査回数演算回路では正回転条件終了信号カウンター数と再検査回数設定カウンター数を比較し、再検査回数設定カウンター数＜正回転終了信号カウンター数の条件時に停止信号をＮＧ停止出力回路へ発信する。再検査回数設定カウンター数》又は＝正回転終了信号カウンター数の条件時に再検査信号を画像処理回路へ発信する。正回転演算回路では逆回転オーバーランカウンター回路の総和を正転トリガ信号カウントにより引き算し、ゼロになるまで正転信号を出し、ゼロにて正転終了信号・正転停止信号を出す。その他の作動については図２に示すような作動を行う。
【００１４】
【発明の効果】
本発明は、上記の説明から判るように、トリガ信号入力式高速連続画像検査判定結果に問題が発生した時点でトリガ信号入力カウンターを作動させ検査対象品Ａがどの位置まで進んだかカウントし、そのカウント数に補正値を加えたカウントまで戻りカウントを作動させて、製品送りを逆転させ指定位置へ戻し低速にて足したカウント分を進め、次にくる検査判定結果に問題が発生した検査対象品の再検査を行うことができる。再検査結果に問題が無ければ高速に戻し通常のトリガ信号入力式高速連続画像検査に移り、再度検査結果に問題が発生したら、必要に応じて再度再検査動作を行い検査判定結果に問題が発生した検査対象品箇所のトリガ信号が得られた時点で送りを停止することにより正確に、再検査を行うことができ、かつ停止後に検査対象品を検査位置に正確に止めることができる。
【００１５】
本発明は上記の装置により、正確な再検査と停止後に検査対象品を検査位置に正確に止めることができる。
【図面の簡単な説明】
【図１】本発明の一実施例を示すブロック図である。
【図２】本発明の一実施例を示すフローシートである。
【図３】トリガセンサーと検査対象品(ワーク)の位置関係を示す概略説明図である。
【符号の説明】
１    ＣＣＤカメラ
２    画像処理回路
３    トリガセンサー
４    トリガ信号受信回路
５    モーターコントローラー
６    停止信号回路
７    送り制御回路
８    再検査回路
Ａ    画像検査対象品
【図１】
2004198124.tif 000003
【図２】
2004198124.tif 000004
【図３】
2004198124.tif 000005